(57)【特許請求の範囲】
【請求項１】
一体型部分（５、６）を備えており、該一体型部分が、異なる面でローラ（７、８）の走行を案内する領域（６．１、６．５）と、トラスの部材（４．１）に一体型部分（５、６）を固定するための領域（６．７）とを有している、エスカレータ（１）のステップ（３）におけるステップローラ（８）およびチェーンローラ（７）の案内システムであって、
一体型部分（５、６）が、ローラ（７、８）およびこれらの走行案内を保護する少なくとも１つの領域（６．４）と、ローラ（７、８）を逆案内する少なくとも１つの領域（６．８、６．９）とを有し、
一体型部分はまた、管形状の横断面及びスリット状のオイル入口を持つオイル収集流路（６．６）として形成された、潤滑油を収集する少なくとも１つの領域を有することを特徴とする、案内システム。
【請求項２】
ブラケットプレート（４．１）が、チェーンローラ（７）の走行を案内する領域（６．１）、およびステップローラ（８）またはパレットローラの走行を案内する領域（６．５）を支持することを特徴とする、請求項１に記載の案内システム。
【請求項３】
ローラ（７、８）を保護する領域（６．４）が、ローラ（７、８）を包囲し、かつ保護する、カプセル封入の形式を取ることを特徴とする、請求項１または２に記載の案内システム。
【請求項４】
逆ガイドとしての役目を果す少なくとも１つの対抗面（６．８、６．９）が、カプセル封入（６．４）の一部を形成することを特徴とする、請求項３に記載の案内システム。
【請求項５】
一体型部分（５、６）が、ローラ（７）の両側を案内する領域（６．２）を有することを特徴とする、請求項１から４のいずれか一項に記載の案内システム。
【請求項６】
一体型部分（６）が、冷間成形によって連続鋼板から作られ、変形角度が９０°で精度が±０．５°であることを特徴とする、請求項１から５のいずれか一項に記載の案内システム。
【請求項７】
チェーンローラ軸、およびステップローラ軸の間の距離の短縮により、一体型部分（６）を支持する、より短いブラケットプレート（４．１）の使用を可能にすることを特徴とする、請求項１から６のいずれか一項に記載の案内システム。
【請求項８】
一体型部分（６）が、ブラケットプレート突出部（４．１１）上に配設され、少なくとも１つの締結支持体（６．７）で、あるいはねじまたはクリップによって少なくとも１つの締結面（６．１０）で、ブラケットプレート（４．１）に着脱可能に固定されることを特徴とする、請求項１から７のいずれか一項に記載の案内システムの取り付け方法。
【発明の詳細な説明】
【技術分野】
【０００１】
本発明は、エスカレータのステップのステップローラおよびチェーンローラのための案内システム、および案内システムを取り付ける方法に関し、異なる面でのローラの走行を案内するための領域、および独立請求項の定義によってトラスの部品上に一体形成の部分を固定するための領域を備えた、一体成形部分が設けられている。
【背景技術】
【０００２】
独国特許出願公開第１０３００５８７号明細書から、エスカレータまたは動く歩道のステップ／パレットローラおよびステップ／パレットのチェーンローラに対する案内システムは、それぞれ周知である。案内システムは、ステップ／パレットローラおよびチェーンローラの同時受け入れのための異なる平面に受け入れ領域を備えた、一体成形部分により形成されている。
【特許文献１】独国特許出願公開第１０３００５８７号明細書
【発明の開示】
【発明が解決しようとする課題】
【０００３】
周知の装置の欠点は、周知の装置に関連して開示された装置が、締結の単純化しかもたらさないことである。
【課題を解決するための手段】
【０００４】
本発明は、本願明細書において、解決法を提供することを目指している。本発明は、請求項１において特徴付けられるように、周知の装置の欠点を防止し、ステップローラ、およびチェーンローラに対する多機能な案内システムを作り出すための解決法、並びに案内システムを取り付ける方法を提供する。
【０００５】
本発明の有利な他の展開が、従属請求項において記載されている。
【０００６】
ローラの走行を案内する他に、下部ガイドレール上のステップの両側の案内、チェーンローラの逆案内、はね水または全天候用カプセル封入、オイル溝流路またはオイルカップ流路またはオイル収集カップ流路、および案内システムの支持または締結のための締結支持体または締結用受容体および締結スペーサ受容体といった機能をも実現することが案内システムにとって有利である。構造上に単純な案内システムの多種多様な機能にもかかわらず、取り付けは大いに簡単である。ネジまたはクリップによる簡単な締結のおかげで、案内システムは、困難を伴うことなく短時間で設置できる。案内システムは、連続鋼板から、および維持された僅かな許容差で、ローラを用いた冷間成形によって、精密に製造され得る。
【０００７】
本発明による案内システムでは、下部ガイドレールと上部ガイドレールの間の距離が短縮でき、ブラケットプレートに支持体としての役目を果させ、エスカレータのトラスをより小型に構成できる。
【０００８】
本発明による案内システムの、複雑でない単純な取り付け手順のおかげで、貴重な労働時間が節約され得る。一体成形され、締結部品が少ないことから、その製造および生産は非常に経済的である。
【発明を実施するための最良の形態】
【０００９】
以下の説明において、本発明は、エスカレータについて述べられている。
【００１０】
本発明は、添付の図面を参照することにより、より詳細に説明される。
【００１１】
図１は、手すり２．１、および連続ステップバンドを形成するステップ３を備えた、ガラス製欄干２とを備えるエスカレータ１を示す。移動方向での走行は、ステップ３が、人と物体を移動させ、反転した後で、ステップ面が下を向いた状態で逆方向に戻る。
【００１２】
エスカレータ１は、下の階Ｅ１と、上の階Ｅ２、ステップバンドに対する支持体としての役目を果すトラス４、および欄干２を結合する。ステップ３は、案内システム１０により移動方向に、案内システム１２により戻り方向に案内される。
【００１３】
図２は、エスカレータ１の傾斜部分のエスカレータ１の各側に設けられた周知の案内システム１０、１２を含む、図１の線Ａ−Ａに沿った断面を示す。一体型部分として製造され、トラス４上に配置された部分５は、チェーンローラ７の走行面５．１、およびステップローラ８の走行面５．２を有する。２つの部品から作られ、トラス４上に配置された案内システムの部分６は、ステップローラ８の走行部分６．１、およびチェーンローラ７の走行部分６．２を有する。ステップ３の側面の案内は、走行部分６．２の上に載せられた滑りピン６．３によって行われる。ステップ３に動きを与え、かつ端部でチェーンリンク７．１に接合されたチェーン軸７．２が、各ステップ３に設けられている。
【００１４】
図３は、戻りの走行のエスカレータのステップ３を含む本発明による部分６を含む、図２の切断面Ｂを示す。図２の従来のツーピース部分６は、本発明による一体型部分６と置き換えられてきた。エスカレータの各側面に設けられた一体型部分６は、トラス４のブラケットプレート４．１によって支持され、エスカレータ１の傾斜部分の戻りの走行のローラ７、８を案内する。移動走行のための案内システム１０は、戻りの走行に対する本発明による案内システム１２と同様に構成され得る。
【００１５】
図４は、図３に示されるように本発明による部分６の詳細を示す。一体型部分６は、異なる機能を備えるいくつかの領域を有する。走行面６．１は、チェーンローラ７の走行を案内する。ステップ３の両側を案内するために、滑りピン６．３が、側面６．２の上に載っている。チェーンローラ７が走行面６．１を離れると、第１の対抗面６．８が、逆案内する役目を果し、かつチェーンリンク７．１同士が一緒に押し込まれるのを防止する。ステップローラ８が走行面６．５を離れると、第２の対抗面６．９が、逆案内する役目を果す。一体型部分６は、第２の対抗面６．９は含まず、第１の対抗面６．８のみで実施され得る。対抗面６．８、６．９は、保護カプセル封入６．４の部品である。カプセル封入６．４によって、ステップローラ８、チェーンローラ７、チェーンリンク７．１、および走行面６．１、６．５は、泥、ほこり、水、雪、塩、物体等から保護される。ステップローラ８の走行案内には、走行面６．５が設けられている。オイル収集流路６．６は、潤滑オイル、または潤滑グリースが滴り落ちるのを防止する。部分６は、ブラケットプレート突出部４．１１の上に載せられ、ブラケットプレート４．１に対するネジまたはクリップによって、少なくとも１つの締結支持体６．７で、または少なくとも１つの締結面６．１０で、着脱可能に固定される。
【００１６】
一体型部分６は、取り付けが簡単で効率がよく、ブラケットプレート突出部４．１１の止め部４．１２上に水平方向にぴったりと配置され得ることにより、トラス４に正確に適合され、かつ寸法が合わせられる。
【００１７】
本発明による一体型部分６は、走行面６．１、６．５の必要とされる精度が保証されるよう、連続鋼板から作られ、冷間成形される。変形角度が９０°では、たとえば、精度は、±０．５°である。
【００１８】
一体型部分６では、取り付けおよび製造のための実質的な時間の節約および努力、並びに相当なコスト削減も達成可能である。
【００１９】
使用されるブラケットプレート４．１は、多数であるため、かなり短くすることが可能であり、トラスの重量の軽減、およびさらなる費用優位をもたらす。図２、および図４におけるチェーンローラ軸とステップローラ軸との間の距離は、ブラケットプレートの短縮を示し、約１００ｍｍから１５０ｍｍである。トラスは、それに応じて低く構成され得る。
【図面の簡単な説明】
【００２０】
【図１】欄干およびステップバンドを備えたエスカレータである。
【図２】周知の案内システムを含む図１の線Ａ−Ａに沿った断面図である。
【図３】エスカレータのステップの戻りに対する本発明による案内システムの図２の断面図Ｂである。
【図４】本発明による案内システムの詳細である。
【符号の説明】
【００２１】
１  エスカレータ
２  ガラス製欄干
２．１  手すり
３  ステップ
４  トラス
４．１  ブラケットプレート
４．１１  ブラケットプレート突出部
Ｅ１  下の階
Ｅ２  上の階
５  部分
５．１、５．２  走行面
６  一体型部分
６．１  走行部分（走行面）
６．２  走行部分（側面）
６．５  走行面
６．３  滑りピン
６．４  保護カプセル封入
６．６  オイル収集流路
６．７  締結支持体
６．８、６．９  対抗面
６．１０  締結面
７  チェーンローラ
７．１  チェーンリンク
７．２  チェーン軸
８  ステップローラ
１０、１２  案内システム
【図１】
0005121180.tif 000002
【図２】
0005121180.tif 000003
【図３】
0005121180.tif 000004
【図４】
0005121180.tif 000005